(57)【要約】      （修正有）【課題】複数の計測デバイスと通信可能であり、携帯型ディスプレイ上で複数の動作モードを実現可能なＤＲＯシステムを提供する。【解決手段】マルチモード計測ユーザインターフェースデバイス２００は、信号処理制御部２０１と、ユーザ入力インターフェース部２０２と、通信部２０３とを有する。信号処理制御部は、複数の計測デバイスから得た複数の計測値を表示する計測モードを提供する。信号処理制御部は、ａ）複数の計測デバイスから得た複数の計測値に基づき数値を計算する計算モード及びｂ）２個の計測デバイスから得た複数の値のグラフを描画するコンビネーションモードのうち少なくとも何れか一方とをさらに提供する。【選択図】図２
2017122720.tif 000002
【特許請求の範囲】
【請求項１】
信号処理制御部と、
ユーザ入力インターフェース部と、
通信部とを具備し、
前記信号処理制御部は、
複数の計測デバイスから得た複数の計測値を表示する計測モードと、
ａ）複数の計測デバイスから得た複数の計測値に基づき数値を計算する計算モード及び
ｂ）２個の計測デバイスから得た複数の値のグラフを描画するコンビネーションモード
のうち少なくとも何れか一方と
を提供する
マルチモード計測ユーザインターフェースデバイス。
【請求項２】
請求項１に記載のマルチモード計測ユーザインターフェースデバイスであって、
前記ユーザ入力インターフェース部は、計測モード表示を含み、
前記計測モード表示は、複数の計測値表示及び選択エレメントを含み、
前記複数の計測値表示及び選択エレメントは、複数の計測デバイスから得た複数の計測値を表示する
マルチモード計測ユーザインターフェースデバイス。
【請求項３】
請求項１に記載のマルチモード計測ユーザインターフェースデバイスであって、
前記信号処理制御部は、前記計算モードを提供し、
前記ユーザ入力インターフェース部は、計算モード表示を含み、
前記計算モード表示は、複数の計算モード表示及び選択エレメントを含み、
前記複数の計算モード表示及び選択エレメントは、複数の計測デバイスから得た複数の計測値に基づき計算された数値を表示する
マルチモード計測ユーザインターフェースデバイス。
【請求項４】
請求項１に記載のマルチモード計測ユーザインターフェースデバイスであって、
前記信号処理制御部は、前記コンビネーションモードを提供し、
前記ユーザ入力インターフェース部は、コンビネーションモード表示を含み、
前記コンビネーションモード表示は、複数のコンビネーションモード表示及び選択エレメントを含み、
前記複数のコンビネーションモード表示及び選択エレメントは、２個の計測デバイスからの計測値を選択してグラフを描画する
マルチモード計測ユーザインターフェースデバイス。
【請求項５】
請求項１に記載のマルチモード計測ユーザインターフェースデバイスであって、
前記コンビネーションモードは、曲線又は直線照合を行う
マルチモード計測ユーザインターフェースデバイス。
【請求項６】
請求項１に記載のマルチモード計測ユーザインターフェースデバイスであって、
前記計測モードは、公差範囲表示エレメントを含み、
前記公差範囲表示エレメントは、計測値が特定の公差以内か否かを示す
マルチモード計測ユーザインターフェースデバイス。
【請求項７】
請求項１に記載のマルチモード計測ユーザインターフェースデバイスであって、
前記計測モードは、インジケータにより得られた計測値のアナログ表示を示すアナログダイヤルインジケータを表示する
マルチモード計測ユーザインターフェースデバイス。
【請求項８】
請求項１に記載のマルチモード計測ユーザインターフェースデバイスであって、
前記信号処理制御部は、モデルインタラクションモードをさらに提供し、
前記ユーザ入力インターフェース部は、モデルインタラクションモード表示を含み、
前記モデルインタラクションモード表示は、複数のコンビネーションモード表示及び選択エレメントを含み、
前記複数のコンビネーションモード表示及び選択エレメントは、加工対象物に対応するモデルを表示する
マルチモード計測ユーザインターフェースデバイス。
【請求項９】
請求項８に記載のマルチモード計測ユーザインターフェースデバイスであって、
前記モデルインタラクションモードは、前記モデルに注釈を付加する
マルチモード計測ユーザインターフェースデバイス。
【請求項１０】
請求項１に記載のマルチモード計測ユーザインターフェースデバイスであって、
前記信号処理制御部は、セットアップ制御モードをさらに提供し、
前記ユーザ入力インターフェース部は、セットアップ制御モード表示を含み、
前記セットアップ制御モード表示は、複数のセットアップ制御モード表示及び選択エレメントを含み、
前記複数のセットアップ制御モード表示及び選択エレメントは、前記マルチモード計測ユーザインターフェースデバイスが動作するモードを選択し、前記通信部から計測値データを入力する１以上の計測ツールを選択する
マルチモード計測ユーザインターフェースデバイス。
【請求項１１】
請求項１に記載のマルチモード計測ユーザインターフェースデバイスであって、
前記ユーザ入力インターフェース部は、携帯型ディスプレイを含む
マルチモード計測ユーザインターフェースデバイス。
【請求項１２】
請求項１１に記載のマルチモード計測ユーザインターフェースデバイスであって、
前記携帯型ディスプレイは、タッチスクリーンタブレットデバイスである
マルチモード計測ユーザインターフェースデバイス。
【請求項１３】
請求項１に記載のマルチモード計測ユーザインターフェースデバイスであって、
前記通信部は、無線通信により複数種類の計測デバイスと通信する
マルチモード計測ユーザインターフェースデバイス。
【発明の詳細な説明】
【技術分野】
【０００１】
本発明は、主に、多様な精密計測器具と互いに通信可能であるマルチモード計測ユーザインターフェースデバイスに関する。
【背景技術】
【０００２】
フライス盤や旋盤等の様々な製造装置には、工作機械や加工対象物（ワークピース）の位置を計測するためのリニアスケールが設けられている。例えば、ミツトヨ製ＡＴ１１６又はＡＴ７１５モデルのリニアスケールは、誘導センサを用いて絶対位置を検出し、絶対位置を示す信号を出力可能である。この種のリニアスケールは、ＤＲＯ（デジタル読出、Digital Read Out）システムを介して、複数の位置計測値を通信可能である。典型的なＤＲＯシステムには、計測位置を示すデジタルディスプレイを有するものもある。例えば、ミツトヨ製ＫＡカウンタシステムは、ＤＲＯパッケージの一部として構成され、フライス盤又は旋盤に接続されたリニアスケールの位置を表示可能である。
【０００３】
市販の様々な手持ち式又は携帯型計測ツール（例えば、ノギス、マイクロメータ又はデジタルインジケータ）は、デスクトップコンピュータ等の外部デバイスに、データを出力可能である。ＲＳ−２３２Ｃ通信等の有線システムや、Bluetooth（登録商標）を利用した無線システムその他の無線通信技術を介して、データを出力可能である。例えば、ミツトヨ製ＡＢＳデジマチックノギスＣＤ−１５ＣＸモデル等のノギスは、ミツトヨ製Ｕ−ＷＡＶＥ無線データ通信システムを使用して、ミツトヨ製MeasurLinkソフトウェアがインストールされたコンピュータと通信可能である。手持ち式又は携帯型計測ツールに装着された外部送信機ユニットにより、無線接続機能を実現可能である。この種のシステムの例が、特許文献１及び特許文献２に開示される。
【先行技術文献】
【特許文献】
【０００４】
【特許文献１】米国特許第４，９３０，０９６号
【特許文献２】米国特許第６，５０２，０５７号
【発明の概要】
【発明が解決しようとする課題】
【０００５】
加工対象物の製造中に行う寸法検証のスピードと利便性とを高くするため、複数の計測デバイス（例えば、手持ち式又は携帯型計測ツールのみならず、工作機械のリニアスケール）と通信可能なＤＲＯシステムが望ましいと考えられる。さらに、操作者に対する利便性や柔軟性を益々高めるため、携帯型ディスプレイ上で複数の動作モードを実現可能なＤＲＯシステムが望ましいと考えられる。
【課題を解決するための手段】
【０００６】
この「課題を解決するための手段」では、以下の「発明を実施するための形態」に詳細に記載された各構想のなかから選択した構想を単純化したものを紹介する。この「課題を解決するための手段」は、「特許請求の範囲」の主題の重要な特徴を特定するためのものではなく、「特許請求の範囲」の範囲を特定するのに用いられるものでもない。
【０００７】
本発明の一形態に係るマルチモード計測ユーザインターフェースデバイスは、信号処理制御部と、ユーザ入力インターフェース部と、通信部とを具備する。前記信号処理制御部は、複数の計測デバイスから得た複数の計測値を表示する計測モードと、
ａ）複数の計測デバイスから得た複数の計測値に基づき数値を計算する計算モード及び
ｂ）２個の計測デバイスから得た複数の値のグラフを描画するコンビネーションモードのうち少なくとも何れか一方とを提供する。
【発明の効果】
【０００８】
本発明によれば、複数の計測デバイスと通信可能であり、携帯型ディスプレイ上で複数の動作モードを実現可能である。なお、ここに記載された効果は必ずしも限定されるものではなく、本開示中に記載されたいずれかの効果であってもよい。
【図面の簡単な説明】
【０００９】
【図１】マルチモード計測ユーザインターフェースデバイスを示すブロック図である。
【図２】計測モードで動作するマルチモード計測ユーザインターフェースデバイスを示す模式図である。
【図３】図２のマルチモード計測ユーザインターフェースデバイスを示す模式図であり、付加的な特徴を示す。
【図４】コンビネーションモードで動作するマルチモード計測ユーザインターフェースデバイスを示す模式図である。
【図５】計算モードで動作するマルチモード計測ユーザインターフェースデバイスを示す模式図である。
【図６】モデルインタラクションモードで動作するマルチモード計測ユーザインターフェースデバイスを示す模式図である。
【図７】セットアップ制御モードで動作するマルチモード計測ユーザインターフェースデバイスを示す模式図である。
【発明を実施するための形態】
【００１０】
図１は、マルチモード計測ユーザインターフェースデバイス１００を示すブロック図である。マルチモード計測ユーザインターフェースデバイス１００は、信号処理制御部１０１と、ユーザ入力インターフェース部１０２と、通信部１０３とを含む。
【００１１】
信号処理制御部１０１は、ユーザ入力インターフェース部１０２及び通信部１０３を用いて、計測モード１１０と、コンビネーションモード１２０と、計算モード１３０と、モデルインタラクションモード１４０と、セットアップ制御モード１５０とを提供するように、マルチモード計測ユーザインターフェースデバイス１００の動作を制御する。信号処理制御部１０１は、メモリ１６０と、プロセッサ１７０とをさらに含む。計測モード１１０は、計測モード処理１１１を含む。コンビネーションモード１２０は、コンビネーションモード処理１２１を含む。計算モード１３０は、計算モード処理１３１を含む。モデルインタラクションモード１４０は、モデルインタラクションモード処理１４１を含む。セットアップ制御モード１５０は、セットアップ制御モード処理１５１を含む。
【００１２】
ユーザ入力インターフェース部１０２は、計測モード表示１１２と、コンビネーションモード表示１２２と、計算モード表示１３２と、モデルインタラクションモード表示１４２と、セットアップ制御モード表示１５２とを含む。計測モード表示１１２は、計測値表示及び選択エレメント１１３を含む。コンビネーションモード表示１２２は、コンビネーション表示及び選択エレメント１２３を含む。計算モード表示１３２は、計算値表示及び選択エレメント１３３を含む。モデルインタラクションモード表示１４２は、モデルインタラクション表示及び選択エレメント１４３を含む。セットアップ制御モード表示１５２は、セットアップ制御表示及び選択エレメント１５３を含む。
【００１３】
通信部１０３は、様々な無線通信手段（例えば、Bluetooth（登録商標）、Wi-Fi及びクラウドベースのデータインフラストラクチャ）により、複数種類の計測デバイスと通信可能に構成すればよい。
【００１４】
図２乃至図７に概略を示すように、マルチモード計測ユーザインターフェースデバイス１００は、複数のモードで、複数の計測デバイスから得たデータを表示し関係づける、利便性が高く多目的な手段を提供する。
【００１５】
図２は、計測モード（例えば、計測モード１１０）で動作するマルチモード計測ユーザインターフェースデバイス２００を示す模式図である。計測モード（例えば、計測モード１１０）は、計測モード処理（例えば、計測モード処理１１１）を含む。マルチモード計測ユーザインターフェースデバイス２００は、マルチモード計測ユーザインターフェースデバイス１００と同様又は同一である。マルチモード計測ユーザインターフェースデバイス２００は、信号処理制御部２０１と、ユーザ入力インターフェース部２０２と、通信部２０３とを含む。
【００１６】
ユーザ入力インターフェース部２０２は、計測モード表示２１２を含む。計測モード表示２１２は、計測値表示及び選択エレメント２１３を含む。
【００１７】
計測モード１１０は、ユーザ入力インターフェース部２０２に、複数の計測デバイスから得た複数の計測値を表示する。より具体的には、計測モード表示２１２は、複数種類の計測デバイス（例えば、旋盤、ノギス、マイクロメータその他の計測デバイス）から得た複数の計測値を表示する。図２に示すように、計測値表示及び選択エレメント２１３は、旋盤Ｘの計測値表示及び選択エレメント２１３ａと、旋盤Ｙの計測値表示及び選択エレメント２１３ｂと、ノギスの計測値表示及び選択エレメント２１３ｃと、マイクロメータの計測値表示及び選択エレメント２１３ｄとを含む。各計測値表示及び選択エレメントは、それぞれ、各計測デバイスから得た計測値を表示する。旋盤Ｘの計測値表示及び選択エレメント２１３ａと、旋盤Ｙの計測値表示及び選択エレメント２１３ｂと、ノギスの計測値表示及び選択エレメント２１３ｃと、マイクロメータの計測値表示及び選択エレメント２１３ｄとは、それぞれ、ゼロセット選択エレメント２１４ａ、２１４ｂ、２１４ｃ、２１４ｄを含む。ゼロセット選択エレメント２１４ａ、２１４ｂ、２１４ｃ、２１４ｄは、各計測値をゼロにセットする。ゼロセット選択エレメントは、例えば、ユーザにとって、旋盤ツールで切断すべき相対位置を決めるための補助となり得る。
【００１８】
別の実施形態において、マルチモード計測ユーザインターフェースデバイス２００は、例えば、タッチスクリーンを含むタブレットデバイスでもよい。別の実施形態において、携帯型のタッチスクリーンでもよく、通信部２０３は無線通信（例えば、Bluetooth（登録商標）技術）可能でもよい。これにより、仕事環境周辺で移動可能な、利便性が高いユーザインターフェースとなり得る。
【００１９】
図３は、図２のマルチモード計測ユーザインターフェースデバイス２００を示す模式図であり、付加的な特徴を示す。図３に示すように、マルチモード計測ユーザインターフェースデバイス２００は、インジケータの計測値表示及び選択エレメント２１３ｅと、公差範囲表示エレメント２１３ｆとを、付加的に含む。インジケータの計測値表示及び選択エレメント２１３ｅは、インジケータで得られた計測値をアナログ表示するようなアナログダイヤルインジケータの構成に従った表示を提供する。公差範囲表示エレメント２１３ｆは、計測値が特定の公差以内か否かを示す、すなわち、「継続／中止（Go/No Go）」検査ツールの役割を持つ。図３に示すように、公差範囲表示エレメント２１３ｆには、インジケータの計測値表示及び選択エレメント２１３ｅと同じ値のインジケータの信号が入力される。公差範囲表示エレメント２１３ｆに示すように、計測値＝０．９００ｍｍは、丸印中のチェックマーク（「可」を示す）に示すように、公差範囲＝１．００＋／−０．２０ｍｍ以内である。別の実施形態において、チェックマークは、緑色の丸印中に表示してもよい。計測値が公差範囲外の場合、公差範囲表示エレメント２１３ｆは、赤色の丸印中にバツ印（「不可」を示す）を表示してもよい。勿論、マルチモード計測ユーザインターフェースデバイス２００は、他のタイプの「継続／中止」検査ツールをカスタマイズにより提供してもよい。例えば、ステップ高さを測定するため、２個のインジケータを用いてもよい。同様の公差範囲表示エレメントを用いて、ステップ高さの特定の公差を表示してもよい。
【００２０】
図４は、コンビネーションモード（例えば、コンビネーションモード１２０）で動作するマルチモード計測ユーザインターフェースデバイス４００を示す模式図である。コンビネーションモード（例えば、コンビネーションモード１２０）は、コンビネーションモード処理（例えば、コンビネーションモード処理１２１）を含む。マルチモード計測ユーザインターフェースデバイス４００は、マルチモード計測ユーザインターフェースデバイス１００と同様又は同一である。マルチモード計測ユーザインターフェースデバイス４００は、信号処理制御部４０１と、ユーザ入力インターフェース部４０２と、通信部４０３とを含む。
【００２１】
ユーザ入力インターフェース部４０２は、コンビネーションモード表示４２２を含む。コンビネーションモード表示４２２は、コンビネーション表示及び選択エレメント４２３を含む。コンビネーション表示及び選択エレメント４２３は、旋盤Ｙの表示及び選択エレメント４２３ａと、ノギスの表示及び選択エレメント４２３ｂと、インジケータの表示及び選択エレメント４２３ｃと、プロット表示エレメント４２３ｄとを含む。
【００２２】
コンビネーションモードは、２個の計測デバイスから得た複数の値のグラフを描画する。２個の計測デバイスは、表示及び選択エレメント４２３ａ〜４２３ｃにより選択すればよい。より具体的には、プロット表示エレメント４２３ｄは、旋盤Ｙの複数の位置に対応する複数のインジケータ値のグラフを描画する。ユーザは、加工対象物に係合する位置でインジケータを旋盤のキャリッジに装着し、旋盤のキャリッジを動かせばよい。その間、マルチモード計測ユーザインターフェースデバイス４００は、旋盤Ｙの信号及びインジケータの信号を通信部４０３を介して受信し、そして、各信号を一連の座標４２４としてプロット表示エレメント４２３ｄに表示してもよい。
【００２３】
別の実施形態において、コンビネーションモードは、曲線又は直線照合を行ってもよい。例えば、プロット表示エレメント４２３ｄに示すように、一連の座標４２４に照合した曲線４２５を表示してもよい。照合曲線４２５は、特性として丸みを帯びた加工対象物の直径を判断するのに有用と考えられる。プロット表示エレメント４２３ｄは、直径＝１５．３３７５ｍｍを示す。
【００２４】
図５は、計算モード（例えば、計算モード１３０）で動作するマルチモード計測ユーザインターフェースデバイス５００を示す模式図である。計算モード（例えば、計算モード１３０）は、計算モード処理（例えば、計算モード処理１３１）を含む。マルチモード計測ユーザインターフェースデバイス５００は、マルチモード計測ユーザインターフェースデバイス１００と同様又は同一である。マルチモード計測ユーザインターフェースデバイス５００は、信号処理制御部５０１と、ユーザ入力インターフェース部５０２と、通信部５０３とを含む。
【００２５】
ユーザ入力インターフェース部５０２は、計算モード表示５３２を含む。計算モード表示５３２は、計算値表示及び選択エレメント５３３を含む。計算値表示及び選択エレメント５３３は、第１のインジケータ計算値表示及び選択エレメント５３３ａと、第２のインジケータ計算値表示及び選択エレメント５３３ｂと、平均計算値表示及び選択エレメント５３３ｃと、計算値表示及び選択エレメント５３３ｄとを含む。第１のインジケータ計算値表示及び選択エレメント５３３ａと、第２のインジケータ計算値表示及び選択エレメント５３３ｂと、平均計算値表示及び選択エレメント５３３ｃとは、それぞれ、数値入力ボタン５３４ａ、５３４ｂ、５３４ｃを含む。
【００２６】
ユーザは、計算値表示及び選択エレメント５３３ｄを用いて、数式を作ることができる。計算値表示及び選択エレメント５３３ｄは、ユーザが数値入力ボタン５３４ａ、５３４ｂ、５３４ｃを用いて選択した数値を入力することができる。例えば、ユーザは、平均値を求めたい第１のインジケータ計算値表示及び選択エレメント５３３ａと第２のインジケータ計算値表示及び選択エレメント５３３ｂとを選択すればよい。数値入力ボタン５３４ａを選択すると、計算値表示及び選択エレメント５３３ｄに、数値「［インジケータ１］」が表示される。数値「［インジケータ１］」は、第１のインジケータ計算値表示及び選択エレメント５３３ａに入力された、第１の電子インジケータから得た数値を示す。数値入力ボタン５３４ｂを選択すると、計算値表示及び選択エレメント５３３ｄに、数値「［インジケータ２］」が表示される。数値「［インジケータ２］」は、第２のインジケータ計算値表示及び選択エレメント５３３ｂに入力された、第２の電子インジケータから得た数値を示す。次いで、平均の計算の数式及び計算結果を、例えば、平均計算値表示及び選択エレメント５３３ｃに表示することができる。この計算結果は、第１のインジケータ計算値表示及び選択エレメント５３３ａの数値や第２のインジケータ計算値表示及び選択エレメント５３３ｂの数値と同様のデータ源（仮想的ではあるが）としても用いることができる。
【００２７】
図６は、モデルインタラクションモード（例えば、モデルインタラクションモード１４０）で動作するマルチモード計測ユーザインターフェースデバイス６００を示す模式図である。モデルインタラクションモード（例えば、モデルインタラクションモード１４０）は、モデルインタラクションモード処理（例えば、モデルインタラクションモード処理１４１）を含む。マルチモード計測ユーザインターフェースデバイス６００は、マルチモード計測ユーザインターフェースデバイス１００と同様又は同一である。マルチモード計測ユーザインターフェースデバイス６００は、信号処理制御部６０１と、ユーザ入力インターフェース部６０２と、通信部６０３とを含む。
【００２８】
ユーザ入力インターフェース部６０２は、モデルインタラクションモード表示６４２を含む。モデルインタラクションモード表示６４２は、モデルインタラクション表示及び選択エレメント６４３を含む。モデルインタラクション表示及び選択エレメント６４３は、モデル表示及び選択エレメント６４３ａを含む。モデル表示及び選択エレメント６４３ａは、加工対象物のモデルを入力することができる。別の実施形態において、モデルは、加工対象物の２次元図や、ＣＡＤ（Computer Aided Design）モデルとしてもよい。ユーザは、モデルに注釈を付加することができる。注釈の例として、「公差内の数値」６４４との注記や、通信部６０３から入力された計測値から実際に得た数値が挙げられる。注釈は、例えば、タッチスクリーンのキーパッドや音声入力により付加すればよい。
【００２９】
図７は、セットアップ制御モード（例えば、セットアップ制御モード１５０）で動作するマルチモード計測ユーザインターフェースデバイス７００を示す模式図である。セットアップ制御モード（例えば、セットアップ制御モード１５０）は、セットアップ制御モード処理（例えば、セットアップ制御モード処理１５１）を含む。マルチモード計測ユーザインターフェースデバイス７００は、マルチモード計測ユーザインターフェースデバイス１００と同様又は同一である。マルチモード計測ユーザインターフェースデバイス７００は、信号処理制御部７０１と、ユーザ入力インターフェース部７０２と、通信部 ７０３とを含む。
【００３０】
ユーザ入力インターフェース部７０２は、セットアップ制御モード表示７５２を含む。セットアップ制御モード表示７５２は、セットアップ制御表示及び選択エレメント７５３を含む。セットアップ制御表示及び選択エレメント７５３は、モード選択エレメント７５３ａと、計測デバイス選択エレメント７５３ｂとを含む。モード選択エレメント７５３ａは、マルチモード計測ユーザインターフェースデバイス７００が動作するモード（例えば、計測モード１１０、コンビネーションモード１２０、計算モード１３０又はモデルインタラクションモード１４０）を選択するのに用いることできる。図７に示す実施形態によれば、左又は右へのスワイプジェスチャに応じて、選択可能な複数のモード間をスクロールするようにすれば、セットアップ制御モード表示７５２の全画面をモード選択エレメント７５３ａとして使用することができる。勿論、これは例示に過ぎず限定するものでは無く、モード選択エレメント７５３ａに有用となり得る別の選択構造は多数考えられる。例えば、ドロップダウンメニューやリストボックスである。計測デバイス選択エレメント７５３ｂは、１以上の計測ツールを選択するのに用いてもよい。選択された１以上の計測ツールの計測値データが、通信部７０３から入力される。別の実施形態において、計測デバイス選択エレメント７５３ｂは、「デバイス」マークが付いたエリアを含んでもよい。「デバイス」マークがあるときは、デバイス選択メニュー７５４がユーザに提示される。デバイス選択メニュー７５４は、マルチモード計測ユーザインターフェースデバイス７００に入力可能な複数の計測デバイスを示す。
【００３１】
上述の様々な各実施形態は、さらに別の実施形態と組み合わせることができる。本明細書に記載した全ての米国特許及び米国特許出願を参照することにより、本発明の一部を構成する。必要に応じて、各特許文献の構想を採用して本実施形態の各態様を変更することができる。これにより、さらに別の実施形態を提供することができる。
【００３２】
上記説明に照らして本実施形態を多様に変更することが可能である。一般に、特許請求の範囲において使用する語句は、特許請求の範囲を、明細書及び特許請求の範囲に開示される具体的な実施形態に限定するものであると解釈されるべきでない。むしろ、考え得る全ての実施形態に加えて、特許請求の範囲の均等物の全範囲をも含むと解釈されるべきである。
【００３３】
特許請求の範囲に、排他的権利又は所有権を請求する本発明の各形態が記載される。
【符号の説明】
【００３４】
１００…マルチモード計測ユーザインターフェースデバイス
１０１…信号処理制御部
１０２…ユーザ入力インターフェース部
１０３…通信部
１１０…計測モード
１１１…計測モード処理
１１２…計測モード表示
１１３…計測値表示及び選択エレメント
１２０…コンビネーションモード
１２１…コンビネーションモード処理
１２２…コンビネーションモード表示
１２３…コンビネーション表示及び選択エレメント
１３０…計算モード
１３１…計算モード処理
１３２…計算モード表示
１３３…計算値表示及び選択エレメント
１４０…モデルインタラクションモード
１４１…モデルインタラクションモード処理
１４２…モデルインタラクションモード表示
１４３…モデルインタラクション表示及び選択エレメント
１５０…セットアップ制御モード
１５１…セットアップ制御モード処理
１５２…セットアップ制御モード表示
１５３…セットアップ制御表示及び選択エレメント
１６０…メモリ
１７０…プロセッサ
【図１】
2017122720.tif 000003
【図２】
2017122720.tif 000004
【図３】
2017122720.tif 000005
【図４】
2017122720.tif 000006
【図５】
2017122720.tif 000007
【図６】
2017122720.tif 000008
【図７】
2017122720.tif 000009